(57)【要約】【課題】本発明は、簡単に取り付けられ、保守作業も容易に行えるラックマウント機器１をキャビネットに収納するためのマウントアングル４の構造を提供することを目的としている。【解決手段】本発明は、キャビネットにはマウントアングル支持金具６とマウントアングル受け金具７とを固定し、マウントアングル支持金具６には支持バー１０を、マウントアングル受け金具７には略中央にガイドとなる長穴１２を設けた制御バー１１をそれぞれ回動動作により可動に取り付け、支持バー１０と制御バー１１の先端にマウントアングル４を取り付けて、マウントアングル４は、支持バー１０と制御バー１１との動作によりキャビネットの外へせり上げ可能であるように、マウントアングル４にラックマウント機器１をキャビネットに収納可能とすることを特徴とする。【選択図】図１
2007036008.tif 000002
【特許請求の範囲】
【請求項１】
キャビネットにラックマウント機器を取り付けるためのマウントアングルの構造であって、該キャビネットにはマウントアングル支持金具とマウントアングル受け金具とを固定し、前記マウントアングル支持金具には支持バーを、前記マウントアングル受け金具には略中央にガイドとなる長穴を設けた制御バーをそれぞれ回動動作により可動に取り付け、前記支持バーと前記制御バーの先端に前記マウントアングルを取り付けて、該マウントアングルは、前記支持バーと前記制御バーとの動作により前記キャビネットの外へせり上げ可能であるように、該マウントアングルに前記ラックマウント機器をキャビネットに収納可能とすることを特徴とするマウントアングルの構造。
【請求項２】
前記マウントアングルの構造であって、前記マウントアングル支持金具と前記マウントアングル受け金具とに側面にはそれぞれ結束バンド挿通穴を設け、前記ラックマウント機器に接続される通信線の余長が収納可能であることを特徴とする請求項１に記載のマウントアングルの構造。
【発明の詳細な説明】
【技術分野】
【０００１】
本発明は、キャビネットにラックマウント機器を取り付けるためのマウントアングルの構造に関するものである。
【背景技術】
【０００２】
キャビネットにラックマウント機器を取り付ける場合、従来は、キャビネットの底面にガイド３１を固定し、ガイド３１にはスライド動作により引き出し可能であるマウントアングル３２が取り付けられる。マウントアングル３２に設けられているマウント穴３３とラックマウント機器の挿通穴とを対向させ、ねじを挿通し締め付け固定していた。キャビネットにラックマウント機器を取り付けるときに、マウントアングル３２をキャビネットの外に引き出し、取り付け作業の障害となるキャビネットの側壁を超えたところでラックマウント機器を取り付けていた。ラックマウント機器を取り付けてから、マウントアングル３２をガイド３１に沿って収納し、マウントアングル３２に実装されているねじ３４を締め付け、ガイド３１にマウントアングル３２を固定していた。
【非特許文献１】２００５  カワムラ  総合カタログ  電設資材編  平成１７年５月１日発行
【発明の開示】
【発明が解決しようとする課題】
【０００３】
しかしながら、上記従来技術におけるキャビネットでは、機器を積み重ねて収納した場合、マウントアングルを手前に引き出しても、下側の機器まで手を入れることは困難で保守作業等が困難であった。
【０００４】
また、マウントアングルを引き出して保守作業する際に、キャビネットの扉や設置場所によっては壁面などが作業の障害となり、機器の前面と扉や壁面との間の距離が確保できず、作業しにくいという欠点があった。
【０００５】
機器の背面に接続された通信線は、マウントアングルを引き出したとき、通信線が引っ張られて機器に荷重がかからないような長さを確保しなくてはならず、そうした場合、マウントアングルをキャビネットに収納したときにはその通信線が余長となり、マウントアングルの出し入れの際に通信線を金具等に引っ掛け損傷する虞があると共に、機器の背面側に余長を収納するためのスペースが必要であった。
【課題を解決するための手段】
【０００６】
そこで本発明は、簡単に取り付けられ、保守作業も容易に行えるラックマウント機器をキャビネットに収納するためのマウントアングルの構造を提供することを目的とし、その構造は、キャビネットにはマウントアングル支持金具とマウントアングル受け金具とを固定し、マウントアングル支持金具には支持バーを、マウントアングル受け金具には略中央にガイドとなる長穴を設けた制御バーをそれぞれ回動動作により可動に取り付け、支持バーと制御バーの先端にマウントアングルを取り付けて、マウントアングルは、支持バーと制御バーとの動作によりキャビネットの外へせり上げ可能であるように、マウントアングルにラックマウント機器をキャビネットに収納可能とすることを特徴とする。
【０００７】
また、マウントアングル支持金具とマウントアングル受け金具とに側面にはそれぞれ結束バンド挿通穴を設け、ラックマウント機器に接続される通信線の余長が収納可能であることを特徴とする。
【発明の効果】
【０００８】
本発明に係るキャビネットには、キャビネットにはマウントアングル支持金具とマウントアングル受け金具とを固定し、マウントアングル支持金具には支持バーを、マウントアングル受け金具には略中央にガイドとなる長穴を設けた制御バーをそれぞれ回動動作により可動に取り付け、支持バーと制御バーの先端にマウントアングルを取り付けて、マウントアングルは、支持バーと制御バーとの動作によりキャビネットの外へせり上げ可能であるように、マウントアングルにラックマウント機器をキャビネットに収納可能とするため、ラックマウント機器のキャビネットへの取り付けが簡単で、支持バーの軌道上でマウントアングルが回転するため、取り付け作業や機器の保守作業のときに、マウントアングルを動作させることが可能である。そのため、下側に取り付けられている機器の保守作業もしやすくなるという利点がある。また、スペースが必要な取り付け作業や保守作業のときにマウントアングルを動作させるとスペースが確保できるため、機器をキャビネットに収納した状態では余分なスペースを確保する必要がなく、キャビネット自体も小さいものにすることができ、製造コストも抑えることができる。
【０００９】
また、マウントアングル支持金具とマウントアングル受け金具とに側面にはそれぞれ結束バンド挿通穴を設け、ラックマウント機器に接続される通信線の余長が収納可能であるため、機器の接続される通信線等はマウント支持金具に結束バンドにより固定できるので、通信線は支持バーに連動し、余長を取っておく必要がない。また、予め搭載する機器寸法がわかっていれば、マウント支持金具とマウント受け金具の取り付け位置を機器の寸法より多くとると、マウントアングルが回転させても通信線の余長に機器の端部がひっかかることなく、通信線の損傷させる虞がない。
【発明を実施するための最良の形態】
【００１０】
簡単に取り付けられ、保守作業も容易に行えるラックマウント機器を収納するキャビネットを提供するという目的を、最小の部品点数で、且つ省スペースで実現した。
【実施例１】
【００１１】
本発明に係るキャビネットの実施例を図１〜図４の添付図面に基づいて説明する。
【００１２】
ラックマウント機器１（以下機器）は前面側に取り付け穴２が設けられ、キャビネット３に設けられているマウントアングル４に取り付け穴２にねじを挿通し固定される。本発明は、ラックマウント機器１を壁掛けする薄型のキャビネット３に取り付けたい場合のマウントアングル４の構造に関する。
【００１３】
直接機器が取り付けられるマウントアングル４は背面部４ａと側面部４ｂとを折曲形成し、側面部４ｂの前面側には取り付け部４ｃを設け、取り付け部４ｃには機器取り付け穴４ｄを開口する。側面部４ｂの上面側には固定部４ｅが形成され、固定部４ｅにはラッチ５が実装されている。
【００１４】
キャビネット３の背面にマウントアングル支持金具６とマウントアングル受け金具７とを固定する。マウントアングル支持金具６は断面略コ字状に折曲形成されており、キャビネット３の背面に接する面には固定穴８を設け、固定穴８にねじを挿通し締め付け、マウントアングル支持金具６を固定する。マウントアングル受け金具７は、断面略コ字状に折曲形成されており、キャビネット３の背面と接する面には固定穴９を設け、固定穴９にねじを挿通し締め付け、マウントアングル受け金具７を固定する。マウントアングル受け金具７は機器１の前面側を受けるため、奥行き寸法を多く取り、荷重に耐えられるようにしてもよい。
【００１５】
マウントアングル支持金具６には支持バー１０の一端が回動動作により回転可能に取り付けられる。支持バー１０の他端はマウントアングル４の側面部４ｂの下端部に回動動作により回転可能に取り付けられる。また、マウントアングル受け金具７には制御バー１１の一端が回動動作により回転可能に取り付けられる。制御バー１１の他端はマウントアングル４の側面部４ｂの上端部に回動動作により回転可能に取り付けられる。
【００１６】
制御バー１１に略中央部には長穴１２が設けられ、長穴１２のマウントアングル４側の端部には留め部１２ａを形成する。長穴１２はガイドとなり、制御バー１１をマウントアングル４に取り付けているねじ１３が長穴１２の範囲内で移動し、マウントアングル４の動作を制御すると共に、留め部１２ａにねじ１３が留まったときにマウントアングル４の位置を固定することができる。
【００１７】
またマウントアングル支持金具６とマウントアングル受け金具７との動作によりマウントアングル４はせりあがり、キャビネット３の内部に収納したりすることが可能である。また、マウントアングル４のせりあがる位置は、キャビネット３に収納されている位置の正面ではなく、機器１の背面側に移動しながら上がる。
【００１８】
機器１をマウントアングル４を取り付けるときや、機器１の保守作業のときには、マウントアングル１をキャビネット３の前面に引き上げた状態にして作業を行う。配線作業の際には機器１の前面と背面に通信線の接続するスペースと作業のために手を入れるスペースが必要となるが、マウントアングル支持金具６とマウントアングル受け金具７により、キャビネット３の側面より高い位置にマウントアングル４を引き上げることができ、従来小さなスペースで行っていたことを大きいスペースで作業でき、作業の効率が上がる。
【００１９】
マウントアングル受け金具７の、マウントアングル４に設けられた固定部４ｅに対向する位置に受け部７ａを設け、挿通孔７ｂを開口する。取り付け作業や配線作業、保守作業が終了した時点で、マウントアングル支持金具６とマウントアングル受け金具７とを動作させてマウントアングル４を機器１共にキャビネット３内部に納め、ラッチ５でマウントアングル４とマウントアングル受け金具７とを固定する。
【実施例２】
【００２０】
マウントアングル支持金具６とマウントアングル受け金具７との側面にはそれぞれ結束バンド挿通穴１４を複数設ける。機器の接続される通信線の余長がある場合、マウントアングル金具６、７の外側で束ねて結束バンドを結束バンド挿通穴１４に挿通して収納する。余長はマウントアングル金具６、７の外側で結束されるため、設置後に保守作業等でマウントアングル４を引き上げたときにも、通信線が機器に引っかかったりすることがなく、断線や損傷することもない。
【００２１】
マウントアングル支持金具６とマウントアングル受け金具７との設置する位置関係は、マウントアングル４に取り付けられる機器１の奥行き寸法より広く取ると、通信線の余長がある場合にも、マウントアングル４を動作させても機器１の端部等に引っかかったりせず、平滑に機器１を移動させることができる。
【産業上の利用可能性】
【００２２】
マウントアングルが機器共にキャビネットから引き出せるので配線作業や保守点検作業のとき、機器をキャビネットの外に引き出せるので、収納スペースだけで、作業スペースまで確保する必要がなく、キャビネットの寸法は抑えることができるので、キャビネットの取り付け面積が小さい場合にも適用できる。
【図面の簡単な説明】
【００２３】
【図１】本発明に係るマウントアングルの構造を示した斜視図である。（実施例１、実施例２）
【図２】図１における側面断面図である。（実施例１、実施例２）
【図３】本発明に係るマウントアングルの構造を示した斜視図である。（実施例１、実施例２）
【図４】図３における側面断面図である。（実施例１、実施例２）
【図５】従来のマウントアングルを示す斜視図である。
【符号の説明】
【００２４】
１      ラックマウント機器
２      取り付け穴
３      キャビネット
４      マウントアングル
４ａ    背面部
４ｂ    側面部
４ｃ    取り付け部
４ｄ    機器取り付け穴
４ｅ    固定部
５      ラッチ
６      マウントアングル支持金具
７      マウントアングル受け金具
７ａ    受け部
８      固定穴
９      固定穴
１０    支持バー
１１    制御バー
１２    長穴
１２ａ  留め部
１３    ねじ
１４    結束バンド挿通穴
【図１】
2007036008.tif 000003
【図２】
2007036008.tif 000004
【図３】
2007036008.tif 000005
【図４】
2007036008.tif 000006
【図５】
2007036008.tif 000007